(57)【特許請求の範囲】
【請求項１】
第１の面と、前記第１の面と交わる方向に延在し且つ互いに対向する第２の面と、前記第１の面及び前記第２の面に設けられた複数の係合穴とを有する複数の支柱と、
前記対向する第２の面の一方の前記係合穴に係合する係合部を有し、前記係合部を介して前記複数の支柱のうち少なくとも２つの支柱に固定されるパネル受け部材と、
前記パネル受け部材上に載置される底面パネル及び壁用パネルと、
前記壁用パネルと連結される天井パネルとを備え、
前記対向する第２の面の他方に、他のパネル受け部材の係合部を係合可能な前記係合穴が設けられていることを特徴とする、カプセルベッド。
【請求項２】
前記複数の係合穴は、前記支柱の上下方向に並んで形成されていることを特徴とする、請求項１に記載のカプセルベッド。
【請求項３】
前記係合穴に係合する支持部を有し、前記支持部を介して前記複数の支柱のうち少なくとも２つの支柱に固定される梁部材を備えることを特徴とする、請求項１又は２に記載のカプセルベッド。
【請求項４】
前記係合穴に挿入されると共に、前記複数の支柱のうち少なくとも２つの支柱を連結する連結部材を備えることを特徴とする、請求項１乃至３のいずれか１項に記載のカプセルベッド。
【請求項５】
前記支柱に嵌合されるフロントマスクを備えることを特徴とする、請求項１乃至４のいずれか１項に記載のカプセルベッド。
【請求項６】
前記壁用パネルは、接続部材によって連結された１対の壁用パネルを含み、
前記接続部材は、前記１対の壁用パネルのそれぞれの端部が取り付けられる取り付けフランジを有することを特徴とする、請求項１乃至５のいずれか１項に記載のカプセルベッド。
【請求項７】
前記壁用パネルと前記天井パネルとは、角部接続部材によって連結されており、
前記角部接続部材は、前記天井パネルの端部が差し込まれる取り付け溝と、前記壁用パネルの端部が取り付けられる取り付けフランジとを有することを特徴とする、請求項１乃至６のいずれか１項に記載のカプセルベッド。
【請求項８】
前記壁用パネルは、金属層及び樹脂層を有する積層部材によって形成されていることを特徴とする、請求項１乃至７のいずれか１項に記載のカプセルベッド。
【請求項９】
前記壁用パネルは、取り外し可能に構成されていることを特徴とする、請求項１乃至８のいずれか１項に記載のカプセルベッド。
【発明の詳細な説明】
【技術分野】
【０００１】
本発明は、複数の係合穴を有する複数の支柱と、支柱に固定されるパネル受け部材とを備え、組み立てが容易なカプセルベッドに関する。
【背景技術】
【０００２】
従来、カプセルベッドとして、カプセル収納支持フレームと、当該フレーム内に組付けられたカプセルベッド本体と、を備えるカプセルベッドが知られていた。当該カプセルベッド本体は、ＦＲＰ（強化プラスティック）材を用いて縦割り状に左右２分割成形した２つの分割部材を互いのフランジ部を介し接合する形態である（特許文献１）。
【０００３】
また、それぞれ繊維強化プラスティックで形成された、天井用パネルと、壁用通常パネルと、壁用鏡パネルと、入口用パネルとの四種類のパネルの組み合わせによって壁面と天井面とを構成されると共に、床用パネルによって床面を構成されるカプセルベッドが知られていた（特許文献２）。
【先行技術文献】
【特許文献】
【０００４】
【特許文献１】特開平５−２４８１０７号公報
【特許文献２】特開２００５−２４８１５号公報
【発明の概要】
【発明が解決しようとする課題】
【０００５】
従来のカプセルベッドにおいては、カプセルベッド本体が高い強度を持った材料で形成されている。すなわち、特許文献１に記載されたカプセルベッドにおいては、カプセルベッド本体がＦＲＰ（強化プラスティック）材を用いて形成されている。また、特許文献２に記載されたカプセルベッドにおいては、天井用パネルと、壁用通常パネルと、壁用鏡パネルと、入口用パネルと、床用パネルとが、それぞれ繊維強化プラスティックで形成されている。そして、カプセルベッド本体は、カプセルベッドにかかる荷重を支持する機能を有していた。
【０００６】
従って、カプセルベッドのサイズ又は外観等を変更する場合は、カプセルベッド本体の設計も変更する必要があった。そのため、カプセルベッドのサイズ又は外観等を容易には変更できなかった。また、カプセルベッドを設置した後は、カプセルベッド本体内部の広さの変更、又はカプセルベッドの追加設置を容易に行うことができなかった。
【課題を解決するための手段】
【０００７】
上記課題を解決するため、本発明のカプセルベッドは、第１の面と、前記第１の面と交わる方向に延在する第２の面と、前記第１の面及び前記第２の面に設けられた複数の係合穴とを有する複数の支柱と、前記係合穴に係合する係合部を有し、前記係合部を介して前記複数の支柱のうち少なくとも２つの支柱に固定されるパネル受け部材と、前記パネル受け部材上に載置される底面パネル及び壁用パネルと、前記壁用パネルと連結される天井パネルとを備えることを特徴とする。
【０００８】
これにより、カプセルベッドのサイズ又は外観等を容易に変更することができる。また、カプセルベッドを設置した後であっても、カプセルベッド本体内部の広さの変更、又はカプセルベッドの追加設置を容易に行うことができる。
【０００９】
本発明のさらなる特徴は、添付図面を参照して例示的に示した以下の実施例の説明から明らかになる。
【図面の簡単な説明】
【００１０】
【図１】第１実施形態のカプセルベッドの概略斜視図である。
【図２】フレームの概略正面図である。
【図３】フレームの概略側面図である。
【図４】フレームの概略上面図である。
【図５】支柱の概略拡大図である。
【図６】カプセルベッドの変形形態である。
【図７】支柱の連結部分の概略断面図である。
【図８】カプセルベッドの変形形態である。
【図９】カプセルベッドの変形形態である。
【図１０】側面パネル及び後面パネルの連結部分の概略断面図である。
【図１１】後面パネル及び天井パネルの連結部分の概略断面図である。
【図１２】側面パネルの取り付けを説明する概略図である。
【図１３】第２実施形態のカプセルベッドの概略斜視図である。
【発明を実施するための形態】
【００１１】
以下、本発明を実施するための例示的な実施例を、図面を参照して詳細に説明する。ただし、以下の実施例で説明する寸法、材料、形状、構成要素の相対的な位置等は任意であり、本発明が適用される装置の構成又は様々な条件に応じて変更できる。また、特別な記載がない限り、本発明の範囲は、以下に説明される実施例で具体的に記載された形態に限定されるものではない。
【００１２】
［第１実施形態］
図１は、第１実施形態のカプセルベッド１を示しており、上下に重なって配置された上段カプセルベッド本体及び下段カプセルベッド本体を有するカプセルベッド１が図示されている。上段カプセルベッド本体と下段カプセルベッド本体とは互いに同一構造をなし、後述するフレーム３によって支持されている。なお、カプセルベッド１の上段については、フロントマスク１１側（以下、前側という）とは反対側（以下、後側という）に配置された後面パネル２２と、カプセルベッド１の後部に配置された底面パネル３４及び側面パネル２１とを、仮想的に点線で図示している。また、天井パネル２３の上方には後述する梁部材３３が配置されるが、図１では図示を省略している。
【００１３】
カプセルベッド１は、複数の係合穴１３を有する複数の支柱３１と、複数の支柱３１のうち少なくとも２つの支柱３１に固定されるパネル受け部材３２と、パネル受け部材３２上に載置される底面パネル３４及び壁用パネル２１と、壁用パネル２１，２２に連結される天井パネル２３とを備える。そして、カプセルベッド本体は、それぞれ壁用パネル２１，２２と天井パネル２３とによって構成されている。壁用パネルは、４枚の側面パネル２１及び１枚の後面パネル２２を含む。また、天井パネル２３は、２枚の天井パネル２３を含む。したがって、カプセルベッド本体は、互いに分離した２枚の側面パネル２１によって構成された側面と、後面パネル２２によって構成された奥面と、互いに分離した２枚の天井パネル２３によって構成された天井とを有している。そして、当該カプセルベッド本体は、４枚の底面パネル３４上に載置されている。
【００１４】
側面パネル２１、後面パネル２２、及び天井パネル２３はいずれも正方形の形状を有する略板状の部材である。また、側面パネル２１、後面パネル２２、及び天井パネル２３はいずれも同じサイズを有する。そのため、カプセルベッド１を上方から見た縦横比は略１：２となる。一方、底面パネル３４は、矩形状の形状を有する略板状の部材であり、パネル受け部材３２上に載置されている。側面パネル２１、後面パネル２２及び天井パネル２３は、鋼板、アルミ又はステンレス等からなる金属層と、ポリ塩化ビニル樹脂、ポリエステル樹脂又はフッ素樹脂等からなる樹脂層とを有する不燃性の積層部材によって形成されている。当該積層部材によってカプセルベッド本体の各パネルを形成することにより、軽量且つ不燃性のカプセルベッド１を構成することができる。
【００１５】
このようなカプセルベッド１は、カプセルホテル等で使用される。そのため、底面パネル３４上には、敷布等のカバーで覆われたマットレスを載置することができる。また、カプセルベッド１の外側には、美観向上のために不図示の外装パネルが取り付けられる。さらに、カプセルベッド１の後側において、カプセルベッド本体の内部には、天井パネル２３の近傍に不図示の機能部と換気口が配置され、機能部は時計、ルームライト等を有する。また、２枚の天井パネル２３の間には隙間があり、当該隙間にスプリンクラーが配置される。当該隙間は、利用者が視認しないように鋼板製の中央目地部材によって覆われている。機能部用の電気配線及びスプリンクラー用の配管は、いずれも上下又は左右のカプセルベッド本体同士の隙間に配置される。これにより、カプセルベッド本体内部のスペースを広く確保することができる。
【００１６】
カプセルベッド１の前側には、利用者が出入りする出入口１４として機能する開口が設けられている。そして、出入口１４の周囲には、化粧を兼ねたアルミ製のフロントマスク１１が取り付けられている。フロントマスク１１は、水平方向に延在する横部材１１０と、上下方向に延在する縦部材１１２とを有する。そして、横部材１１０の長手方向の両端部は、カプセルベッド１の前側の支柱３１にビス止め固定される。また、縦部材１１２は一方向が開口したＵ字状の断面形状を有し、その開口の内寸はカプセルベッド１の前側の支柱３１の外寸と略一致する。そして、縦部材１１１は、カプセルベッド１の前側の支柱３１に嵌合させて取り付けられる。さらに、このようにして、フロントマスク１１がカプセルベッド１に取り付けられる。
【００１７】
出入口１４には、美観向上のために目隠し１７が設けられている。当該目隠し１７は、色を変えることによって利用者の識別に使用することができる。例えば、赤色の目隠し１８が配置された上段を若年者用とし、茶色の目隠し１７が配置された下段を老年者用とすれば、利用者を識別することができる。また、出入口１４の近傍には、カーテン又はロールブラインド等の遮蔽部材を取り付けることができる。当該遮蔽部材を開け閉めすることによりカプセルベッド１を外側から遮蔽でき、利用者のプライバシー空間を確保することができる。なお、上段と下段の遮蔽部材の色を変えることによっても、カプセルベッド１の利用者を識別することができる。
【００１８】
カプセルベッド１は、上段の利用者のために梯子１５を備えている。そして、梯子１５の上端と下端は、フロントマスク１１の横部材１１０にビスで固定されている。また、上段と下段との間、すなわち上段の出入口１４の下方には、利用者が出入りする際に足を載せることができるデッキ１６が前側に突出する状態で取り付けられている。デッキ１６は、梯子１５、フロントマスク１１の横部材１１０にビスで固定されている。また、デッキ１６の前側端面には左右に離間して上段用のナンバープレートと下段用のナンバープレートとが取り付けられている。これらのナンバープレートの近傍には不図示の発光ダイオード（ＬＥＤ）が設けられており、発光ダイオードは、カプセルベッド１の外部に設置された制御装置からの指令により点灯又は消灯することができる。当該ナンバープレートは、デッキ１６の前面にビス止め固定又は接着固定されている。
【００１９】
図２〜４は、第１実施形態のカプセルベッド１のフレーム３及び底面パネル３４を図示している。図２はフレーム３の正面図であり、図３はフレーム３の側面図であり、図４はフレーム３の上面図である。フレーム３は、支柱３１と、パネル受け部材３２と、梁部材３３とを有する。そして、梁部材３３の両端部は、複数の支柱３１のうち少なくとも２つの支柱３１に固定されている。また、パネル受け部材３２の両端部は、複数の支柱３１のうち少なくとも２つの支柱３１に固定されている。
【００２０】
フレーム３は、上段及び下段を含めて、８本の支柱３１と、８本のパネル受け部材３２と、８本の梁部材３３とを有する。すなわち、支柱３１については、カプセルベッド１の前側の２本の支柱３１、水平方向中間部の４本の支柱３１、及び後側の２本の支柱３１で合計８本の支柱３１がある。そして、パネル受け部材３２については、下段カプセルベッド本体用の４本のパネル受け部材３２、及び上段カプセルベッド本体用の４本のパネル受け部材３２で合計８本のパネル受け部材３２がある。そして、梁部材３３については、カプセルベッド１下部の３本の梁部材３３、上下方向中間部の３本の梁部材３３、及び上部の２本の梁部材３３で合計８本の梁部材３３がある。
【００２１】
支柱３１、パネル受け部材３２、及び梁部材３３と、底面パネル３４とは、いずれもスチール製である。そして、各支柱３１は、不図示のベースプレートを介してカプセルベッド１の載置面にボルトで固定されている。また、パネル受け部材３２は、長手方向に延在すると共に水平方向に突出するパネル受けフランジ３２１を有する。パネル受けフランジ３２１は、図４において点線で図示されており、底面パネル３４はパネル受けフランジ３２１上に載置されている。また、底面パネル３４も、図２及び図３において点線で図示されている。
【００２２】
図５に示すように、各支柱３１は、第１の面３５と、第１の面３５と交わる方向に延在する第２の面３６と、第１の面３５及び第２の面３６に設けられた複数の係合穴１３とを有する。そして、支柱３１は略Ｕ字状の断面形状を有し、第１の面３５と直交する方向に２つの第２の面３６が延在している。複数の係合穴１３は、支柱３１の上下方向、すなわち長手方向に並んで形成されている。
【００２３】
パネル受け部材３２は、支柱３１の第２の面３６の係合穴１３１に係合可能な係合部である係合爪３２２を有する。当該係合爪３２２は、パネル受け部材３２の長手方向の両端部に設けられており、Ｊ字状に湾曲した断面形状を有するフックである。第１実施形態においては、パネル受け部材３２の長手方向の両端部にそれぞれ２つずつ、計４つの係合爪３２２が形成されている。そして、当該係合爪３２２を介して、パネル受け部材３２は、複数の支柱３１のうち少なくとも２つの支柱３１に固定される。すなわち、パネル受け部材３２の両端部が、それぞれ１本の支柱３１に固定される。
【００２４】
パネル受け部材３２の固定位置は、係合爪３２２を係合させる係合穴１３１の位置を変更することにより、所望の高さに容易に変更することができる。図６は、カプセルベッド本体の位置又はカプセルベッド本体内部の高さを変更した場合の変形形態であり、カプセルベッド１の正面図を示す。図６の左側は、カプセルベッド本体の位置を載置面から高い位置に変更した形態を示している。当該形態においては、支柱３１の上下方向におけるパネル受け部材３２の位置を図１よりも高い位置へと変更している。また、図６の右側は、上段カプセルベッド本体の内部の高さを低く変更し、下段カプセルベッド本体の内部の高さを高く変更した形態を示している。当該形態においては、側面パネル２１の高さを変更すると共に、支柱３１の上下方向における上段のパネル受け部材３２の位置を図１よりも高い位置へと変更している。これにより、カプセルベッド本体の載置位置を所望の位置に容易に変更できる。さらに、側面パネル２１の高さを変更することによって、容易にカプセルベッド本体内部の高さを変更することができる。
【００２５】
図５に戻り、梁部材３３は、支柱３１の第１の面３５の係合穴１３２に係合可能な支持部である支持爪３３２を有する。当該支持爪３３２は、梁部材３３の長手方向の両端部に設けられており、Ｊ字状に湾曲した断面形状を有するフックである。第１実施形態においては、梁部材３３の長手方向の両端部にそれぞれ２つずつ、計４つの支持爪３３２が形成されている。そして、当該支持爪３３２を介して、梁部材３３は、複数の支柱３１のうち少なくとも２つの支柱３１に固定される。また、梁部材３３の両端部にはロックピンが挿入される係合穴３３３が形成されている。そして、支柱３１の第１の面３５にもロックピン３３１が挿入される係合穴１３３が形成されている。そして、係合穴３３３及び係合穴１３３を貫通してロックピン３３１が挿入されている。このようにして、梁部材３３の両端部はそれぞれ１本の支柱３１に固定される。
【００２６】
なお、複数の係合穴１３のうち、係合爪３２２が係合する係合穴１３１と支持爪３３２が係合する係合穴１３２とは、互いに異なる形状を有する。すなわち、係合爪３２２が係合する係合穴１３１は略台形の形状を有し、係合穴１３１の上部が長い辺であり下部が短い辺である。一方、支持爪３３２が係合する係合穴１３２は、係合穴１３２の上部に大きい内径を有する略台形状の開口部があり下部に小さい内径を有する楕円形状の開口部がある。そして、略台形状の開口部と楕円形状の開口部とが連続して一つの開口を形成している。さらに、係合爪３２２が係合する係合穴１３１と連結部材３７が挿入される係合穴１３４とは、互いに異なる形状を有する。すなわち、係合爪３２２が係合する係合穴１３１は略台形の形状を有し、連結部材３７が挿入される係合穴１３４は略円形の形状を有する。なお、係合爪３２２が係合する係合穴１３１と支持爪３３２が係合する係合穴１３２は、同じ形状を有していてもよい。また、パネル受け部材３２の係合爪３２２は、第２の面３５の係合穴１３２に係合させることもできる。同様に、梁部材３３の支持爪３３２は、第２の面３６の係合穴１３１に係合させることもできる。さらに、連結部材３７は、第２の面３６の係合穴１３４に挿入することもできる。
【００２７】
図３及び図４に示すように、カプセルベッド１の中間部分に配置された２本の隣り合う支柱３１は、それぞれの第１の面３５の係合穴１３４に挿入された連結部材３７によって連結されている。当該連結部材３７は、支柱３１の連結部分の拡大図である図７に示すように、一方の支柱３１側から挿入されたボルト３７１と、他方の支柱３１側に配置されたナット３７２とを有する。そして、２本の隣り合う支柱３１は、当該連結部材３７によって連結されている。これにより、追加のカプセルベッド１を配置したい場合は、カプセルベッド１の支柱３１同士を連結することにより容易にカプセルベッド１を追加することができる。なお、支柱３１の高さ及びフロントマスク１１の縦部材１１１の高さを変更することにより、上下方向にカプセルベッド１を追加することもできる。
【００２８】
図８は、カプセルベッド１を追加した場合の変形形態であり、カプセルベッド１の正面図を示す。図１では１組のカプセルベッド１であったが、図８では水平方向に２組追加して３組のカプセルベッド１である。また、追加したカプセルベッド１の支柱３１は、仮想的に点線で図示した連結部材３７によって隣り合う支柱３１と連結されている。また、図８の右側は、上下方向にカプセルベッド１を追加した場合の変形形態である。当該形態においては、支柱３１の高さ及びフロントマスク１１の縦部材１１１の高さを変更し、上下方向に３段のカプセルベッド１としている。
【００２９】
また、側面パネル２１及び天井パネル２３の数を増やすこと、又は側面パネル２１及び天井パネル２３の奥行き方向の長さを変えることによって、カプセルベッド１内部の奥行き方向の長さを容易に変更することもできる。図９は、カプセルベッド１の奥行きを変更した場合の変形形態であり、カプセルベッド１の側面図を示す。当該形態においては、上段及び下段のそれぞれについて、カプセルベッド１の奥行き方向に左右それぞれ３枚で合計６枚の側面パネル２１と、３枚の天井パネル２３とを配置している。そして、中間部分の隣り合う支柱３１は、点線で図示した連結部材３７によって連結されている。このようにして、カプセルベッド１の奥行き方向の長さを、容易に変更することができる。なお、奥行き方向の長さを変更する場合、側面パネル２１及び天井パネル２３の枚数を増やす代わりに、側面パネル２１及び天井パネル２３の長さを変えることもできる。
【００３０】
図７に示すように、カプセルベッド１の水平方向において互いに隣り合う一対の側面パネル２１は、接続部材であるアルミ製の平ジョイナー４２によって連結されている。平ジョイナー４２の長手方向と直交する幅方向における両端部には、一対の側面パネル２１のそれぞれの端部が取り付けられる取り付けフランジ４２２が形成されている。そして、側面パネル２１の端部が取り付けフランジ４２２にビス止めされ、これにより一対の側面パネル２１が連結される。また、側面パネル２１は、平ジョイナー４２を介して支柱３１にビス止めされている。
【００３１】
側面パネル２１同士の連結部分は、平目地部材５２によって覆われている。平目地部材５２は突出部５３を有し、当該突出部５３が平ジョイナー４２の目地部材取り付け溝４４に挿入される。そして、カプセルベッド本体の内部から見て、側面パネル２１同士の連結部分は、平目地部材５２によって覆われる。これにより、利用者が連結部分を視認することがなく、カプセルベッド本体内部の美観を向上させることができる。なお、側面パネル２１は、カプセルベッド１の両側面において同様に連結されている。
【００３２】
図１０に示すように、側面パネル２１と後面パネル２２とは、角部接続部材であるアルミ製の角ジョイナー４１によって連結されている。角ジョイナー４１の長手方向と直交する幅方向における両端部のうち一方の端部には、後面パネル２２の側方端部が差し込まれる取り付け溝４１１が形成されている。また、角ジョイナー４１の幅方向における他方の端部には、側面パネル２１の端部が取り付けられる取り付けフランジ４１２が形成されている。そして、後面パネル２２は、取り付け溝４１１に側方端部が差し込まれた状態で、角ジョイナー４１にビス止めされている。また、側面パネル２１の後方端部は、取り付けフランジ４１２を介して支柱３１にビス止めされている。このようにして、側面パネル２１と後面パネル２２とは連結されている。
【００３３】
側面パネル２１と後面パネル２２との連結部分は、Ｒ目地部材５０によって覆われている。Ｒ目地部材５０は突出部５３を有し、当該突出部５３が角ジョイナー４１の目地部材取り付け溝４４に挿入される。そして、カプセルベッド本体の内部から見て、側面パネル２１と後面パネル２２との連結部分は、Ｒ目地部材５０によって覆われる。これにより、利用者が連結部分を視認することがなく、カプセルベッド本体内部の美観を向上させることができる。
【００３４】
図１１に示すように、後面パネル２２と天井パネル２３とは、角部接続部材であるアルミ製の角ジョイナー４１によって連結されている。角ジョイナー４１の長手方向と直交する幅方向における両端部のうち一方の端部には、後面パネル２２の上端部が差し込まれる取り付け溝４１１が形成されている。また、角ジョイナー４１の幅方向における他方の端部には、天井パネル２３の後端部が取り付けられる取り付けフランジ４１２が形成されている。そして、後面パネル２２は、取り付け溝４１１に上端部が差し込まれた状態で。角ジョイナー４１にビス止めされている。さらに、取り付けフランジ４１２には、天井パネル２３の側方端部がビス止めされている。このようにして、後面パネル２２と天井パネル２３とが連結される。
【００３５】
後面パネル２２と、天井パネル２３の連結部分は、角目地部材５１によって覆われている。角目地部材５１は突出部５３を有し、当該突出部５３が角ジョイナー４１の目地部材取り付け溝４４に挿入される。そして、カプセルベッド本体の内部から見て、後面パネル２２と天井パネル２３との連結部分は、角目地部材５１によって覆われる。これにより、利用者が連結部分を視認することがなく、カプセルベッド本体内部の美観を向上させることができる。なお、側面パネル２１と天井パネル２３も、角部接続部材である角ジョイナー４１によって同様に連結されている。すなわち、天井パネル２３の側方端部は、角ジョイナー４１の取り付け溝４１１に差し込まれている。そして、側面パネル２１の側方端部は、角ジョイナー４１の取り付けフランジにビスで取り付けられている。また、側面パネル２１と天井パネル２３との連結部分は、Ｒ目地部材５０によって覆われている。
【００３６】
このようにして、側面パネル２１同士、側面パネル２１と後面パネル２２、側面パネル２１及び後面パネル２２と天井パネル２３とが連結され、箱状のカプセルベッド本体が形成されている。これにより、カプセルベッド１の重量及び部品点数を削減することができると共に、カプセルベッド１を容易に組み立てることができる。なお、角ジョイナー４１の取り付け溝４１１又は取り付けフランジ４１２は、角ジョイナー４１の両端部に形成してもよい。また、平ジョイナー４２の取り付け溝４１１又は取り付けフランジ４１２は、平ジョイナー４２の両端部に形成してもよい。そして、各パネル２１は、角ジョイナー４１又は平ジョイナー４２に接着によって取り付けることもできる。
【００３７】
図１２に示すように、側面パネル２１は、カプセルベッド本体に対して取り外し可能に構成されている。なお、以下においては、説明の便宜のため、側面パネル２１同士の連結を図１２のカプセルベッド１の下段を参照して説明し、側面パネル２１と天井パネル２３との連結を図１２のカプセルベッド１の上段を参照して説明する。
【００３８】
まず、側面パネル２１同士を連結するために、隣り合う側面パネル２１をカプセルベッド本体の内側から支柱３１に平ジョイナー４２を介してビス止めする。そして、パネル受け部材３２に側面パネル２１の下端部をビス止めする。続いて、側面パネル２１と天井パネル２３を連結するために、角ジョイナー４１に側面パネル２１の上端部を差し込む。そして、側面パネル２１を差し込んだ状態で、角ジョイナー４１及び側面パネル２１の上端部をカプセルベッド本体の内側から支柱３１にビス止めする。その後、角ジョイナー４１の目地取り付け溝４４及び平ジョイナー４２の目地取り付け溝４４に、Ｒ目地部材５０及び平目地部材５２の突出部５３を挿入し、Ｒ目地部材５０及び平目地部材５２を取り付ける。このようにして、側面パネル２１は、カプセルベッド１に取り付けられる。なお、カプセルベッド１の後側の側面パネル２１については、天井パネル２３と同様に、後面パネル２２に取り付ける。
【００３９】
そして、側面パネル２１を取り外す場合は、まず角ジョイナー４１の目地取り付け溝４４及び平ジョイナー４２の目地取り付け溝４４から、Ｒ目地部材５０及び平目地部材５２の突出部５３を引き抜き、Ｒ目地部材５０及び平目地部材５２を取り外す。そして、角ジョイナー４１及び側面パネル２１を固定しているビスを支柱３１から外す。続いて、側面パネル２１の下部を固定しているビスをパネル受け部材３２から外す。そして、平ジョイナー４２及び側面パネル２１を固定しているビスを支柱３１から外し、平ジョイナー４２を取り外す。その後、側面パネル２１を角ジョイナー４１から引き抜く。このようにして、側面パネル２１がカプセルベッド１から取り外される。側面パネル２１を取り外した後は、Ｒ目地部材５０を角ジョイナー４１に取り付ける。なお、カプセルベッド１の後側の側面パネル２１については、天井パネル２３と同様に、後面パネル２２からも取り外す。
【００４０】
このように側面パネル２１を着脱可能に構成することにより、カプセルベッド１内部のサイズを容易に変更することができる。すなわち、隣接するカプセルベッド１同士を隔てるそれぞれの側面パネル２１を取り外すことにより、２つのカプセルベッド本体を接続することができる。これにより、カプセルベッド１を設置した後であっても、カプセルベッド１内部のサイズを容易に変更することができる。
【００４１】
以上説明した第１実施形態のカプセルベッド１によれば、カプセルベッド１のサイズ又は外観等を容易に変更することができる。そのため、カプセルベッド１を設置した後に、カプセルベッド本体内部の広さを変更することも容易である。また、梁部材３３の長さと、後面パネル２２及び天井パネル２３の幅とを変更することによって、カプセルベッド１の幅を容易に変更することもできる。例えば、１１００ｍｍの幅を有するカプセルベッド１を、１２００ｍｍの幅を有するカプセルベッド１へと容易に変更することができる。この場合、側面パネル２１及びパネル受け部材３２は大きさ又は長さを変更する必要が無い。さらに、カプセルベッド１の追加設置を容易に行うこともできる。
【００４２】
なお、第１実施形態のカプセルベッド１は、上段及び下段の二段で構成されているが、一段で構成することもできる。また、カプセルベッド１の前側にはフロントマスク１１の横部材１１０が設けられており、梁部材３３は設けられていない。しかし、横部材１１０の後側に梁部材３３を設けることもできる。
【００４３】
［第２実施形態］
第１実施形態のカプセルベッド１は、縦入口用の出入口１４を有していた。これに対して、第２実施形態のカプセルベッド２０１は、横入口用の出入口２１４を有している。なお、以下、第１実施形態と同様の構成については同じ参照符号で表し、その説明を省略する。
【００４４】
第２実施形態においては、カプセルベッド２０１の長手方向に延在する横面に出入口２１４が設けられている。すなわち、第１実施形態のカプセルベッド１の前側の側面パネル２１に対応する位置に、出入口２１４が設けられている。また、第１実施形態のカプセルベッド１の出入口１４に対応する位置には、側面パネル２１が配置されている。そして、カプセルベッド２０１の前側には、壁用パネルである正面パネル２２４が取り付けられている。なお、当該正面パネル２２４は、側面パネル２１と同じパネルである。
【００４５】
第２実施形態のフロントマスク１１の横部材１１０及び縦部材１１１は、支柱３１にビスで取り付けられている。また、梯子１５及びデッキ１６が、横部材１１０にビスで取り付けられている。また、上段及び下段を含めたカプセルベッド２０１においては、前側（フロントマスク１１側）の４本の支柱３１、後側の４本の支柱３１で合計８本の支柱３１がある。そして、下段用の４本のパネル受け部材３２、上段用の４本のパネル受け部材３２で合計８本のパネル受け部材３２がある。また、カプセルベッド２０１の下部の４本の梁部材３３、上段と下段の間の４本の梁部材３３、及びカプセルベッド２０１の上部の２本の梁部材３３で合計１０本の梁部材３３がある。
【００４６】
第２実施形態においても、第１実施形態と同様にカプセルベッド２０１のサイズ又は外観等を容易に変更することができる。さらに、カプセルベッド２０１を設置した後であっても、カプセルベッド本体内部の広さの変更又はカプセルベッド２０１の追加設置を容易に行うことができる。
【００４７】
なお、上記各実施形態のカプセルベッド１は、不使用時には備蓄庫として利用することができる。当該用途に利用する場合、カプセルベッド１のマットレスの幅は、壁用パネルの高さ方向の長さ以下の長さを有する構成とすることができる。これにより、備蓄庫としても利用する場合は、マットレスを壁用パネルに立てかけて収納し、底面パネル３４上に備蓄品を載置することができる。
【００４８】
また、上記実施例において、パネル受け部材３２又は梁部材３３と支柱３１とは、一体に構成することもできる。例えば、パネル受け部材３２又は梁部材３３の両端部に、それぞれ１本の支柱３１を溶接することができる。また、支柱３１は、Ｕ字状の断面形状を有する構成には限定されない。例えば、支柱３１は、Ｌ字又は四角形の断面形状を有する構成とすることができる。さらに、カプセルベッド１は、梯子１５に代えて、カプセルベッド１の下部に配置された複数段のステップと、カプセルベッド１の上部に配置された手摺とを有する構成とすることができる。また、パネル受け部材３２の係合部及び梁部材３３の支持部は、それぞれパネル受け部材３２又は梁部材３３とは別体に構成することもできる。例えば、係合部及び支持部は、係合穴１３に係合するフック部と、フック部から水平方向に延在するフランジとを有する金具であってもよい。この場合、パネル受け部材３２及び梁部材３３は、支柱３１の係合穴１３に係合した係合部及び支持部のフランジ上に載置される。
【００４９】
フレーム３は、カプセルベッド１の前側の２本の支柱３１、中間部分の２本の支柱３１、及び後側の２本の支柱３１で合計６本の支柱３１と、下段用の４本のパネル受け部材３２、上段用の４本のパネル受け部材３２、及びカプセルベッド１上部の４本のパネル受け部材３２で合計１２本のパネル受け部材３２と、カプセルベッド１の下部の２本の梁部材３３、中間部の２本の梁部材３３、及び上部の２本の梁部材３３で合計６本の梁部材３３とを備える構成としてもよい。また、パネル受け部材３２の長さが２枚の壁用パネルと略同じ長さかそれ以上である場合は、パネル受け部材３２の中間部分等に係合部を形成し、３本以上の支柱３１に固定することもできる。同様に、梁部材３３の長さが２枚の壁用パネルと略同じ長さかそれ以上である場合は、梁部材３３の中間部分等に支持部を形成し、３本以上の支柱３１に固定することもできる。
【００５０】
以上、実施例を参照して本発明について説明したが、本発明は上記実施例に限定されるものではない。本発明に反しない範囲で変更された発明、及び本発明と均等な発明も本発明に含まれる。また、上述の各実施形態及び変形例は、本発明に反しない範囲で適宜組み合わせることができる。
【符号の説明】
【００５１】
１：カプセルベッド、２：カプセルベッド本体、３：フレーム、１１：フロントマスク、１３：係合穴、１４：出入口、１５：梯子、１６：デッキ、１７：目隠し、２１：側面パネル、２２：後面パネル、２３：天井パネル、３１：支柱、３２：パネル受け部材、３３：梁部材、３４：底面パネル、３５：第１の面、３６：第２の面、３７：連結部材、４１：角ジョイナー、４２：平ジョイナー、４４：目地部材取り付け溝、５０：Ｒ目地部材、５１：角目地部材、５２：平目地部材、５３：突出部、１１０：横部材、１１１：縦部材、１３１：係合穴、１３２：係合穴、１３３：係合穴、１３４：係合穴、２０１：カプセルベッド、２１４：出入口、２２４：前面パネル、３２１：パネル受けフランジ、３２２：係合爪、３３１：ロックピン、３３２：支持爪、３３３：ピン穴、３７１：ボルト、３７２：ナット、４１１：取り付け溝、４１２：取り付けフランジ、４２２：取り付けフランジ
【図１】
0006047278.tif 000002
【図２】
0006047278.tif 000003
【図３】
0006047278.tif 000004
【図４】
0006047278.tif 000005
【図５】
0006047278.tif 000006
【図６】
0006047278.tif 000007
【図７】
0006047278.tif 000008
【図８】
0006047278.tif 000009
【図９】
0006047278.tif 000010
【図１０】
0006047278.tif 000011
【図１１】
0006047278.tif 000012
【図１２】
0006047278.tif 000013
【図１３】
0006047278.tif 000014